(57)【要約】【課題】ノズルヘッドを容易に付け替えることができる容器用吐出具を提供する。【解決手段】本発明の容器用吐出具１は、容器Ｃの口部Ｃ１に装着されるベースキャップ１０と、ベースキャップ１０により口部Ｃ１の内側に保持されるポンプと、ベースキャップ１０に対して上下方向に移動自在に設けられ、ポンプ２０を作動させるノズルヘッド３０とを備え、内容液をノズルヘッド３０の吐出口５７から吐出させる容器用吐出具１であって、ノズルヘッド３０は、内部通路Ｎを備え、ベースキャップ１０の天壁１７から突出する支持筒部１９の内側に配置される首筒部４０と、首筒部４０に装着される装着筒部５１と、装着筒部５１の上端から軸線Ｏ１に対して傾斜して延びるヘッド部５６とを備えるノズル部とを有し、装着筒部５１及び首筒部４０は、係合部３２を有し、首筒部４０及び支持筒部１９は、回り止め部３４を有していることを特徴とする。【選択図】図１
2019119480.tif 000002
【特許請求の範囲】
【請求項１】
容器の口部に装着されて該口部の開口を覆うベースキャップと、
該ベースキャップにより前記口部の内側に保持され、内容液を吸引、加圧、圧送するポンプと、
前記ベースキャップから上方に突出すると共に該ベースキャップに対して上下方向に移動自在に設けられ、押下げ動作及び復帰動作により前記ポンプを作動させるノズルヘッドと
を備え、前記ポンプから圧送された内容液を前記ノズルヘッドの吐出口から吐出させる容器用吐出具であって、
前記ノズルヘッドは、
前記ポンプから内容液が圧送される内部通路を備え、前記ベースキャップの天壁から突出する支持筒部の内側に配置される首筒部と、
前記首筒部に装着される装着筒部と、該装着筒部の上端から該装着筒部の軸線に対して傾斜した方向に延びるヘッド部とを備え、内部に前記内部通路に連なると共に先端が前記吐出口となる吐出流路を有するノズル部と
を有し、
前記装着筒部及び前記首筒部は、前記首筒部の軸線周りに前記装着筒部を回動させることで前記装着筒部を前記首筒部に係合可能とする係合部を有し、
前記首筒部及び前記支持筒部は、該支持筒部に対する該首筒部の軸線周りの回転を規制する回り止め部を有していることを特徴とする容器用吐出具。
【請求項２】
前記ポンプは、内容液と空気とを個別に吸引、加圧、圧送することが可能であり、
前記ノズルヘッドは、前記ポンプから圧送された内容液と空気とを合流させるとともに発泡させて前記吐出口から吐出可能であり、
前記ポンプに空気を供給する外気導入用通気路が、前記ベースキャップと前記口部との間に区画形成されて該ベースキャップの下端に開口する、請求項１に記載の容器用吐出具。
【請求項３】
前記ノズル部は、少なくとも前記吐出流路の一部が外部から視認可能である、請求項１又は２に記載の容器用吐出具。
【請求項４】
前記回り止め部は、前記首筒部の外周面において周方向に部分的に形成された係合凹部と、前記支持筒部に設けられ径方向内向きの押圧力により前記係合凹部に係合可能な係合板とを有する、請求項１乃至３のいずれか一項に記載の容器用吐出具。
【請求項５】
前記回り止め部は、前記首筒部の外周面及び前記支持筒部の内周面の一方に形成され上下方向に延びるリブと、前記首筒部の外周面及び前記支持筒部の内周面の他方に形成され上下方向に延びるリブ又は凹部とを有する、請求項１乃至４のいずれか一項に記載の容器用吐出具。
【請求項６】
前記回り止め部は、前記首筒部の外周面に形成され上下方向に延びるリブと、前記支持筒部の内周面に形成され上下方向に延びる凹部とを有し、前記リブが、前記凹部の周方向中央に形成された乗り越え部を乗り越えることで、内容液の使用可能状態とノズル部の着脱可能状態との間で状態を切り替えることが可能である、請求項１乃至５のいずれか一項に記載の容器用吐出具。
【請求項７】
前記ノズル部の着脱可能状態において、前記首筒部の下方への変位を規制するストッパが形成されている、請求項６に記載の容器用吐出具。
【発明の詳細な説明】
【技術分野】
【０００１】
本発明は、容器内に収容された内容液を吐出させる容器用吐出具に関するものである。
【背景技術】
【０００２】
シャンプー、ボディソープ、ハンドソープ、洗顔料等を充填した容器では、内容液を吸引、加圧、圧送し、ノズルを通じて排出させるポンプを備える容器用吐出具を装備したものが多用されている。（例えば、特許文献１参照）。
【先行技術文献】
【特許文献】
【０００３】
【特許文献１】特開２０１６−１５９９２０号公報
【発明の概要】
【発明が解決しようとする課題】
【０００４】
ところで、このような容器用吐出具においては、ノズルヘッドはポンプ及びベースキャップに対して着脱困難な状態で組み付けられており、ノズルヘッドを利用者の好みの形状や加飾を施したものに変更したり、利用者の手のひらの大きさに合わせて付け替えたりといったニーズに応えることができず、改善の余地があった。
【０００５】
本発明は、このような問題点を解決することを課題とするものであり、その目的は、ノズルヘッドを容易に付け替えることができる、容器用吐出具を提供することにある。
【課題を解決するための手段】
【０００６】
本発明の容器用吐出具は、
容器の口部に装着されて該口部の開口を覆うベースキャップと、
該ベースキャップにより前記口部の内側に保持され、内容液を吸引、加圧、圧送するポンプと、
前記ベースキャップから上方に突出すると共に該ベースキャップに対して上下方向に移動自在に設けられ、押下げ動作及び復帰動作により前記ポンプを作動させるノズルヘッドと
を備え、前記ポンプから圧送された内容液を前記ノズルヘッドの吐出口から吐出させる容器用吐出具であって、
前記ノズルヘッドは、
前記ポンプから内容液が圧送される内部通路を備え、前記ベースキャップの天壁から突出する支持筒部の内側に配置される首筒部と、
前記首筒部に装着される装着筒部と、該装着筒部の上端から該装着筒部の軸線に対して傾斜した方向に延びるヘッド部とを備え、内部に前記内部通路に連なると共に先端が前記吐出口となる吐出流路を有するノズル部と
を有し、
前記装着筒部及び前記首筒部は、前記首筒部の軸線周りに前記装着筒部を回動させることで前記装着筒部を前記首筒部に係合可能とする係合部を有し、
前記首筒部及び前記支持筒部は、該支持筒部に対する該首筒部の軸線周りの回転を規制する回り止め部を有していることを特徴とする。
【０００７】
また、本発明の容器用吐出具は、上記構成において、前記ポンプは、内容液と空気とを個別に吸引、加圧、圧送することが可能であり、
前記ノズルヘッドは、前記ポンプから圧送された内容液と空気とを合流させるとともに発泡させて前記吐出口から吐出可能であり、
前記ポンプに空気を供給する外気導入用通気路が、前記ベースキャップと前記口部との間に区画形成されて該ベースキャップの下端に開口することが好ましい。
【０００８】
また、本発明の容器用吐出具は、上記構成において、前記ノズル部は、少なくとも前記吐出流路の一部が外部から視認可能であることが好ましい。
【０００９】
また、本発明の容器用吐出具は、上記構成において、前記回り止め部は、前記首筒部の外周面において周方向に部分的に形成された係合凹部と、前記支持筒部に設けられ径方向内向きの押圧力により前記係合凹部に係合可能な係合板とを有することが好ましい。
【００１０】
また、本発明の容器用吐出具は、上記構成において、前記回り止め部は、前記首筒部の外周面及び前記支持筒部の内周面の一方に形成され上下方向に延びるリブと、前記首筒部の外周面及び前記支持筒部の内周面の他方に形成され上下方向に延びるリブ又は凹部とを有することが好ましい。
【００１１】
また、本発明の容器用吐出具は、上記構成において、前記回り止め部は、前記首筒部の外周面に形成され上下方向に延びるリブと、前記支持筒部の内周面に形成され上下方向に延びる凹部とを有し、前記リブが、前記凹部の周方向中央に形成された乗り越え部を乗り越えることで、内容液の使用可能状態とノズル部の着脱可能状態との間で状態を切り替えることが可能であることが好ましい。
【００１２】
また、本発明の容器用吐出具は、上記構成において、前記ノズル部の着脱可能状態において、前記首筒部の下方への変位を規制するストッパが形成されていることが好ましい。
【発明の効果】
【００１３】
本発明によれば、ノズルヘッドを容易に付け替えることができる容器用吐出具を提供することができる。
【図面の簡単な説明】
【００１４】
【図１】本発明の第１実施形態に係る容器用吐出具を、容器の口部に装着した状態で示す、右側面一部断面図である。
【図２】本発明の第１実施形態に係る容器用吐出具のノズルヘッドを示す平面図である。
【図３】ノズルヘッドの第１変形例を示す平面図である。
【図４】ノズルヘッドの第２変形例を示す図であり、（ａ）は平面図、（ｂ）は右側面断面図である。
【図５】ノズルヘッドの第３変形例を示す図であり、（ａ）は平面図、（ｂ）は右側面断面図である。
【図６】ノズルヘッドの第４変形例を示す図であり、（ａ）は平面図、（ｂ）は右側面断面図である。
【図７】ノズルヘッドの第５変形例を示す図であり、（ａ）は平面図、（ｂ）は右側面断面図である。
【図８】本発明の第２実施形態に係る容器用吐出具を、容器の口部に装着した状態で示す、右側面一部断面図である。
【図９】図８のＡ−Ａ断面により、支持筒部と首筒部との周方向の相対位置を示す断面図であり、（ａ）は内容液の使用可能状態、（ｂ）はノズル部の着脱可能状態を示す図である。
【発明を実施するための形態】
【００１５】
以下、図面を参照して、本発明の第１実施形態であるフォーマーディスペンサー１（容器用吐出具）を詳細に説明する。図１は、本実施形態に係るフォーマーディスペンサーを、容器の口部に装着した状態で示す断面図である。なお、本明細書、特許請求の範囲、及び図面においては、上下方向は、図１に示すようにフォーマーディスペンサー１を装着した容器Ｃを正立姿勢とした状態における上方、下方を意味するものとする。また、径方向外側とは、図１におけるフォーマーディスペンサー１の中心軸線Ｏ１を通り中心軸線Ｏ１に垂直な直線に沿って外側に向かう方向であり、径方向内側とは、当該直線に沿って中心軸線Ｏ１に向かう方向を意味するものとする。また、フォーマーディスペンサー１の前後方向は、図１における左右方向であり、図１の左方がフォーマーディスペンサー１の前方である。また、フォーマーディスペンサー１の左右方向は、図１における紙面に垂直方向である。
【００１６】
図１において、符号１０は、容器Ｃの口部に保持されるベースキャップである。ベースキャップ１０は、天壁１７の縁部より垂下される外壁１０ａを有していて、外壁１０ａの内側に設けたネジ部を容器Ｃの口部Ｃ１に設けたネジ部にねじ込むことで着脱自在に保持される。なお、ベースキャップ１０を容器Ｃに保持するには、アンダーカット等、既知の構成を用いてもよい。また、天壁１７の中央には上方へ向けて起立する支持筒部１９を設けている。支持筒部１９には、周方向の４箇所に、下端部が支持筒部１９の外周壁に支持され、上端部及び周方向端部が開放された係合板１９ａが形成されている。この係合板１９ａは、支持筒部１９の外周壁に形成された切り欠き部１９ｂ内に配置され、後述するように径方向内側への押圧力によって内側に変形し、首筒部４０に形成された係合凹部４２に係合することで首筒部４０が軸線Ｏ１周りに回転するのを阻止する役割を果たす。更に、支持筒部１９の内側には、天壁１７を貫いて容器Ｃの内側に通じる貫通孔１７ｆが形成されている。
【００１７】
符号２０は、ベースキャップ１０によって容器Ｃの口部に垂下保持され内容液と空気とをそれぞれ個別に吸引、加圧、圧送するポンプである。ポンプ２０は、容器Ｃの収容空間Ｓ内に収容された内容液を吸引、加圧、圧送する内容液用ポンプ２２と、外部から取り込んだ空気を吸引、加圧、圧送する空気用ポンプ２３とを備えている。ポンプ２０は、小径筒体２４ａと、小径筒体２４ａの上部に一体連結する底部を有する大径筒体２４ｂとが同軸に直列状に配置された形態をなす、単一のシリンダー２４によって形成されている。シリンダー２４の上方には径方向外側に延在するフランジが設けられていて、容器Ｃに垂下保持されるにあたっては、このフランジの下面側にパッキンを設け、容器Ｃの口部との間でパッキンを挟み込むようにしている。
【００１８】
ここで、内容液用ポンプ２２は、小径筒体２４ａの底部において、容器Ｃ内の内容液を流入させる吸引口２４ｃを有している。また吸引口２４ｃの縁部には、容器Ｃの底部に向けて延在する吸引パイプｐを嵌合保持するための嵌合筒２４ｄを設けている。また小径筒体２４ａ内には、小径筒体２４ａの内周面に当接するとともにその軸線Ｏ１に沿って摺動可能に設けられた中空ピストン２５が配され、中空ピストン２５の内側に形成される内部通路ｔ１には、ポペット２６が配される。ポペット２６は、その下端に吸引口２４ｃの開閉を行う弁部２６ａを有し、その上端に内部通路ｔ１の出口の開閉を行う弁部２６ｂを有している。そして、中空ピストン２５の外側には、中空ステム２７を配している。中空ステム２７は、中空ピストン２５を取り囲む下部筒状壁２７ａと、下部筒状壁２７ａの上部にて一体的に連結するフランジ（中間フランジ）２７ｂと、中間フランジ２７ｂから起立してベースキャップ１０の貫通孔１７ｆから突出する上部筒状壁２７ｃとを備えている。また、ポペット２６と中空ピストン２５との間には、スプリング２８が配されている。これにより、中空ピストン２５及び中空ステム２７はスライド可能に弾性支持される。
【００１９】
上述した中間フランジ２７ｂは、図１に示すように、上部筒状壁２７ｃの外周面から径方向外側に突出する一方、その内周側縁部は中空ピストン２５の段部２５ａに係合するように形成されている。
【００２０】
そして、図１に示すように上部筒状壁２７ｃ上部は、径方向内側に延在する内向きフランジ２７ｇを有している。また、内向きフランジ２７ｇの上方には、内向きフランジ２７ｇを弁座とするボール弁Ｂが設けられている。
【００２１】
また、図１に示すように空気用ポンプ２３は、大径筒体２４ｂの内周面に当接するとともにその軸線に沿って摺動可能に設けられたエアーピストン２９を備えている。エアーピストン２９の径方向内側には、中空ステム２７を取り囲むとともに初期姿勢にてベースキャップ１０の貫通孔１７ｆから突出する筒状ガイド２９ａが設けられていて、図１に示すように中空ステム２７外側と筒状ガイド２９ａ内側との相互間に形成される隙間は、空気を通す通気路（第一通気路）Ａ１となっている。なお、初期姿勢において、筒状ガイド２９ａの下端は、中間フランジ２７ｂに当接するように構成されている。また、後述するように中空ステム２７は、エアーピストン２９に対して僅かにスライド可能となっていて、筒状ガイド２９ａの下端が中間フランジ２７ｂに当接、離反することで、第一通気路Ａ１を開閉する弁として機能する。そして、筒状ガイド２９ａから径方向外側に延在して大径筒体２４ｂとの相互間に空気を加圧するための空間を形成する隔壁２９ｃには、大径筒体２４ｂ内に空気を導入する開孔２９ｄが設けられている。
【００２２】
そして、中空ステム２７の上方には、混合した内容液及び空気を、その内側に設けた発泡部材（メッシュリング）５９により発泡させて内部通路Ｎを通して外界へ吐出させるノズルヘッド３０が設けられている。本実施形態のノズルヘッド３０は、メッシュリング５９を保持するジェットリング５５を備えていて、このジェットリング５５を介してメッシュリング５９を保持するようにしている。
【００２３】
本実施形態のメッシュリング５９は、リング状となる本体部の一端部にメッシュが取り付けられたものである。また、本実施形態では総計２個のメッシュリング５９を、それぞれのメッシュが外側を向くように（メッシュを設けていない側が合わせ目となるように）してジェットリング５５に取り付けている。
【００２４】
またジェットリング５５は、メッシュリング５９を取り囲んで保持する上部筒部５５ａと、上部筒部５５ａに一体連結するとともに外周壁を径方向内側に凹ませて該発泡部材を下方から支持する中間筒部５５ｃとが設けられている。また、径方向内側に凹ませた外周壁によってメッシュリング５９を下方から支持することができる。
【００２５】
ノズルヘッド３０は、内容液を流動させる吐出流路Ｍが形成されたノズル部５０と、ノズルヘッド３０を押し下げた際にベースキャップ１０の支持筒部１９の径方向内側を下方に移動する首筒部４０とを備えている。
【００２６】
首筒部４０は、図１に示すように、ポンプ２０から圧送される内容液が流れる内部通路Ｎを内面に有する筒状の部材である。また、首筒部４０は、ジェットリング５５及びメッシュリング５９を内側に保持すると共に、ノズルヘッド３０に加えられた下向きの押圧力を中空ステム２７及び筒状ガイド２９ａを介して中空ピストン２５及びエアーピストン２９に伝える役割を果たしている。
【００２７】
首筒部４０の外周面には、周方向に部分的に形成された係合凹部４２が設けられている。この係合凹部４２は、支持筒部１９側に形成された係合板１９ａが径方向内側への押圧力によって内側に変位することで係合凹部４２の中に入り込むことができるように構成されている。これによって、係合板１９ａが係合凹部４２に入り込んだ状態で首筒部４０を軸線Ｏ１周りに回転させようとしても、係合板１９ａの周方向端が係合凹部４２の周方向端に当接することでそれ以上回転させることができなくなる。すなわち、押圧された係合板１９ａと係合凹部４２は、回り止め部３４を形成している。
【００２８】
首筒部４０の下端部には、径方向外側に突出する傘状のフランジが形成されている。このフランジが上方から開孔２９ｄ等を覆うことで、容器Ｃを水分が多い環境に放置した場合であっても、首筒部４０と支持筒部１９との隙間等から進入した水分がシリンダー２４内に入るのを抑制することができる。
【００２９】
ノズル部５０は、首筒部４０に装着される装着筒部５１と、装着筒部５１の上端から装着筒部５１の軸線Ｏ１に対して略垂直方向に延びるヘッド部５６とを備えている。ヘッド部５６は、図１に示すように、前方（図１の左方）に向けてやや上向きに傾斜しており、首筒部４０の内部通路Ｎに連なると共に先端に吐出口５７を有する吐出流路Ｍを内部に形成している。
【００３０】
装着筒部５１の外周面には、雄ねじ部５１ａが形成されており、首筒部４０の内周面に形成されている雌ねじ部４１にねじ係合可能に構成されている。つまり、装着筒部５１の外周面と首筒部４０の内周面はねじ係合部３２を形成している。本実施形態において、ねじ係合部３２には二条ねじを用いている。ねじ係合部３２に二条ねじを用いているのは、より少ない回転数で必要な係合が確保できるからである。なお、装着筒部５１と首筒部４０との係合はねじ係合に限定されるものではない。
【００３１】
本実施形態にかかるフォーマーディスペンサー１では、ノズルヘッド３０を構成するノズル部５０を首筒部４０に対して着脱可能に構成されている。利用者が、ノズル部５０を交換するに際しては、まず支持筒部１９に設けられている係合板１９ａを径方向内側に押圧しながら、ヘッド部５６を把持して平面視で時計回りに回転させる。このとき、ノズル部５０の装着筒部５１は、既に首筒部４０に対してねじ係合されているため、ノズル部５０をねじの締結方向である時計回りに回転させても、ノズル部５０と首筒部４０とが更に相対回転することはなく、首筒部４０はノズル部５０の時計回りの回転に連動して時計回りに回転する。
【００３２】
首筒部４０の係合凹部４２は、周方向に部分的に設けられているため、係合板１９ａの押圧時に係合板１９ａが直ちに係合凹部４２に入り込まないことがある。しかし、上述のようにノズル部５０を時計回りに回転させて首筒部４０もノズル部５０に同期して回転させると、やがて係合板１９ａと係合凹部４２の周方向位置が合致して係合板１９ａが係合凹部４２に入り込むことができる。一旦、係合板１９ａが係合凹部４２に入り込めば、係合板１９ａと係合凹部４２は回り止め部３４として機能するため、今度は、ノズル部５０を平面視で反時計回り（ねじ係合部３２のねじ係合解除方向）に回転させると、首筒部４０は、係合板１９ａの周方向端が係合凹部４２の周方向端に当接することで相対回転を規制する。従って、ノズル部５０を更に反時計回りに回転させると、首筒部４２は反時計回りの相対回転を規制されるため、ノズル部５０へ反時計回りの回転トルクを加えることで雄ねじ部５１ａと雌ねじ部４１とのねじ係合を解除することができる。従って、平面視でのヘッド部５６の大きさを利用者の手のひらの大きさに合わせて容易に変更したり、利用者の好みの外形や加飾を有するヘッド部５６へと容易に変更することができる。
【００３３】
また、新たなヘッド部５６を装着するに際しては、ヘッド部５６を平面視で時計回りに回転させていく。そして、首筒部４０に対する装着筒部５１のねじ係合が進み、ヘッド部５６に加える締め付けトルクが増大すると、首筒部４０がヘッド部５６に同期して回転し始め、やがて係合板１９ａと係合凹部４２の周方向位置が合致して係合板１９ａが係合凹部４２に入り込むことができる。一旦、係合板１９ａが係合凹部４２に入り込めば、係合板１９ａと係合凹部４２は回り止め部３４として機能するため、ヘッド部５６を更に時計回りに回転させることで装着筒部５１は首筒部４０に対して更に強固に締結され、ねじ係合が完了する。
【００３４】
なお、本実施形態では、係合板１９ａを周方向の対向する２か所設けるように構成したが、この態様には限定されない。係合板１９ａは、少なくとも１箇所設けられていればよく、その数量は限定されない。
【００３５】
図２は、本実施形態に係るフォーマーディスペンサー１のヘッド部５６部分の平面図である。ヘッド部５６は、前方の吐出口５７に向けて緩やかに幅が広がる吐出流路Ｍを有している。このように吐出口５７に向けて流路の幅を広げることで流路抵抗を増加させ、内容液の吐出を緩やかにして内容液の飛び散りを抑制することができる。
【００３６】
本実施形態では、ヘッド部５６が吐出口５７部分を除き、平面視で略円形状を有するように構成している。このように吐出方向とは直交する左右方向にヘッド部５６の幅を大きくすることで、利用者がヘッド部５６を把持して押下面５６ａを押圧し易くすることができる。本実施形態では、ヘッド部５６の左右方向（図２の上下方向）の最大長さＬ１が、軸線Ｏ１から吐出口５７の先端までのヘッド部５６に沿う長さＬ２よりも長くなるように構成されている。このように、平面視におけるヘッド部５６の大きさを確保することによって、利用者がノズルヘッド３０を押圧する際の操作性が向上する。また、本実施形態では、ヘッド部５６の上下方向の最大厚みＨを薄くして、ノズルヘッド３０の軽量化を図っている。
【００３７】
図３は、フォーマーディスペンサー１のヘッド部１５６部分の第１の変形例である。この変形例では、図２に示すヘッド部５６と比較して、空洞部１５６ｂを形成することで、外形形状を変えることなくノズルヘッド３０を軽量化することができる。従って、ノズルヘッド３０の押圧操作のし易さを損なうことなく軽量化することができる。
【００３８】
図４（ａ），（ｂ）は、フォーマーディスペンサー１のヘッド部２５６部分の第２の変形例である。この変形例では、図２に示すヘッド部５６と比較して、上壁２５８に彫刻２５８ａを施すことでノズルヘッド３０の美的外観を向上させることができる。なお、上壁２５８には、彫刻以外の手段で加飾を施してもよい。また、彫刻に加えて、蒸着、塗装、転写及び印刷等の加飾を施してもよい。
【００３９】
図５（ａ），（ｂ）は、フォーマーディスペンサー１のヘッド部３５６部分の第３の変形例である。この変形例では、図２に示すヘッド部５６と比較して、平面視における把持部３５６ａの一部を削除することでヘッド部３５６の外形形状を利用者の好みに合わせて変更している。このように、ヘッド部３５６の押圧部３５６ａの大きさを確保しつつ、ヘッド部３５６の形状の面白さを演出すると共に、ノズルヘッド３０を軽量化することができる。
【００４０】
図６（ａ），（ｂ）は、フォーマーディスペンサー１のヘッド部４５６部分の第４の変形例である。この変形例では、図２に示すヘッド部５６と比較して、上壁４５８を別体として構成し、透明材料又は半透明材料に対して蒸着、塗装、転写及び印刷等を施して一部のみが透明又は半透明とされている。これによって、吐出時に吐出流路Ｍの少なくとも一部を視認することができる。この視認可能な領域は、例えば図６（ａ）に示す視認領域４５６ｂである。
【００４１】
図７（ａ），（ｂ）は、フォーマーディスペンサー１のヘッド部５５６部分の第５の変形例である。この変形例では、図２に示すヘッド部５６と比較して、カバー部材５５８を取り付けることで平面視でのヘッド部５５６の面積を確保している。このように、カバー部材５５８の変更のみで、利用者がヘッド部５５６を押圧操作し易いように修正することができる。
【００４２】
このように構成されるフォーマーディスペンサー１において、ノズルヘッド３０を押し込むと、エアーピストン２９の移動により、エアーピストン２９の内側の空気が加圧され、かかる空気は、第一通気路Ａ１及び第二通気路Ａ２を通って、ボール弁Ｂとジェットリング５５とで形成される空間（合流空間Ｇ）に向かう。
【００４３】
一方、小径筒体２４ａでは、ポペット２６の弁部２６ａが小径筒体２４ａの内面に当接して吸引口２４ｃが閉じ、小径筒体２４ａ内が加圧され、更なるノズルヘッド３０の押し込みにより中空ピストン２５における内部通路ｔ１の出口からポペット２６の弁部２６ｂが離反し、内部通路ｔ１内に存在する内容液が、中空ステム２７の上部筒状壁２７ｃの内側（内側通路ｔ２）内に流れる。そして図１に示すように、ボール弁Ｂを通過した後、第二通気路Ａ２を通り抜けた空気と合流空間Ｇで合流する。
【００４４】
そして、合流空間Ｇにて気液混合状態となった内容液は、メッシュリング５９を通って整泡された状態となり、ノズルヘッド３０の内部通路Ｎ、及び吐出流路Ｍを通って吐出口５７から外界へ吐出される。
【００４５】
ノズルヘッド３０を押し切った後、押し込みにかかる力を取り除くと、スプリング２８の反発力で中空ピストン２５、中空ステム２７は初期姿勢へと復帰する。
【００４６】
この復帰過程において、ポペット２６は中空ピストン２５の上方へのスライドに合わせて移動し、小径筒体２４ａの吸引口２４ｃが開き、また中空ピストン２５における内部通路ｔ１の出口が閉じ、更にボール弁Ｂが内向きフランジ２７ｇに着座することによって小径筒体２４ａ内が負圧となって、吸引口２４ｃから小径筒体２４ａ内に容器内の内容液が吸引される。なお、ポペット２６に形成された弁部２６ｂは、ノズルヘッド３０が上端にあるとき、容器内の内圧が上昇して内容液が噴出しないようにせき止める役割を果たしている。
【００４７】
一方、大径筒体２４ｂでは、図１に示すように第一通気路Ａ１は、筒状ガイド２９ａの下端が中間フランジ２７ｂに当接して閉じた状態となる。このため、エアーピストン２９が上方へスライドすると、エアーピストン２９の内側は負圧となるため、外壁１０ａと口部Ｃ１との間に形成された外気導入用通気路Ｔから開孔２９ｄを通してエアーピストン２９の内側に空気が流入する。また、大径筒体２４ｂの上部には、図１に示すように横孔２４ｅが設けられていて、外気導入用通気路Ｔを通った空気は、横孔２４ｅを通して容器Ｃ内にも流入する。これにより、内容物が容器Ｃ内から吐出されても、容器Ｃ内が負圧状態のままになることはない。
【００４８】
このようにしてノズルヘッド３０の押し込みと初期姿勢への復帰を繰り返し行うことで、容器内の内容液を泡状にして連続的に吐出させることができる。
【００４９】
以上述べたように、本実施形態にかかるフォーマーディスペンサー１では、ノズルヘッド３０が、ポンプ２０から内容液が圧送される内部通路Ｎを備え、ベースキャップ１０の天壁１７から突出する支持筒部１９の内側に配置される首筒部４０と、首筒部４０に装着される装着筒部５１と、装着筒部５１の上端から装着筒部５１の軸線Ｏ１に対して傾斜した方向に延びるヘッド部５６とを備え、内部に内部通路Ｎに連なると共に先端が吐出口５７となる吐出流路Ｍを有するノズル部５０とを有し、装着筒部５１及び首筒部４０は、首筒部４０の軸線周りに装着筒部５１を回動させることで装着筒部５１を首筒部４０にねじ係合可能とするねじ係合部３２を有し、首筒部４０及び支持筒部１９は、支持筒部１９に対する首筒部４０の軸線Ｏ１周りの回転を規制する回り止め部３４を有するように構成した。これによって、支持筒部１９に対する首筒部４０の回転を抑制しつつノズル部５０をねじ係合により首筒部４０に対して着脱することができる。従って、ヘッド部５６の大きさを利用者の手のひらの大きさに合わせて容易に変更したり、利用者の好みの形状や加飾を有するヘッド部５６へと容易に変更することができる。また、ノズル部５０を容易に着脱できるので、ノズル部５０を取り外して容易に洗浄することができる。
【００５０】
また、本実施形態では、ポンプ２０は、内容液と空気とを個別に吸引、加圧、圧送することが可能であり、ノズルヘッド３０は、ポンプ２０から圧送された内容液と空気とを合流させるとともに発泡させて前記吐出口から吐出可能であり、ポンプ２０に空気を供給する外気導入用通気路Ｔが、ベースキャップ１０と口部Ｃ１との間に区画形成されてベースキャップ１０の下端に開口するように構成した。これによって、外気をノズルヘッド３０側から導入しないので、ノズルヘッド３０の構成をシンプルにして薄型化及び軽量化を行うことができる。
【００５１】
また、本実施形態では、ノズル部５０は、少なくとも吐出流路Ｍの上壁４５８が透明材料又は半透明材料により形成されるように構成した。これによって、吐出時に吐出流路Ｍを流れる内容液（泡）を視認することができる。
【００５２】
また、本実施形態では、回り止め部３４は、首筒部４０の外周面において周方向に部分的に形成された係合凹部４２と、支持筒部１９に設けられ径方向内向きの押圧力により係合凹部４２に係合可能な係合板１９ａとを有するように構成した。これによって、ノズル部５０の着脱時のみ係合板１９ａの押圧によって支持筒部１９と首筒部４０との相対回転を規制することができるので、ノズル部５０を着脱する際の作業性を向上させつつ、内容液を使用する際に吐出口５７を任意の方向に方向づけし易いという操作性も併せ持つことができる。
【００５３】
次に、図８および図９を参照して、本発明の第２実施形態であるフォーマーディスペンサー１０１（容器用吐出具）を詳細に説明する。なお、本実施形態にかかるフォーマーディスペンサー１０１は、第１実施形態と比較して、回り止め部１３４の構成が異なる他は、第１実施形態と近似している。従って、ここでは第１実施形態との差異点に絞って説明する。
【００５４】
図８に示すように、ベースキャップ１１０の天壁１１７の中央には上方へ向けて起立する支持筒部１１９を設けている。支持筒部１１９の内周面には、図９（ａ），（ｂ）に示すように、周方向の２箇所において径方向外側に凹む凹部１１９ｂが形成されている。凹部１１９ｂには、首筒部１４０の外周面に形成されているリブ１４２が入り込んでいる。凹部１１９ｂの周方向中央には、乗り越え部１１９ｃが形成されており、リブ１４２は、乗り越え部１１９ｃを乗り越えることで、「内容液の使用可能状態」（図９（ａ）の状態）と「ノズル部５０の着脱可能状態」（図９（ｂ）の状態）との間で状態を切り替えることができる。
【００５５】
まず、図９（ａ）に示す「内容液の使用可能状態」について説明する。ここでいう「内容液の使用可能状態」とは、ノズル部５０の装着が終了し、ノズルヘッド１３０を押下して内容液を吐出することが可能な状態をいう。図９（ａ）に時計回りの矢印が記載されているように、利用者が首筒部１４０を平面視で軸線Ｏ１周りに時計回りに回転させることで、この「内容液の使用可能状態」にセットすることができる。利用者が、新たなノズル部５０を首筒部１４０にねじ係合させ、当該ねじ係合を強固に締結するためにノズル部５０を時計回りに強く回すことでリブ１４２が乗り越え部１１９ｃを乗り越えて図９（ａ）に示す「内容液の使用可能状態」へと状態遷移させることができる。
【００５６】
次に、図９（ｂ）に示す「ノズル部５０の着脱可能状態」について説明する。ここでいう「ノズル部５０の着脱可能状態」とは、図９（ｂ）に矢印で示されているように、首筒部１４０を反時計回りに強く回転させることでリブ１４２が乗り越え部１１９ｃを乗り越え、首筒部１４０がこれ以上反時計回りに回転するのを規制された状態である。この「ノズル部５０の着脱可能状態」では、リブ１４２がストッパ１１９ａと同じ周方向位置になるため、このストッパ１１９ａによって首筒部１４０の下方への変位が規制されている。これによって、ノズル部５０の着脱中に意図せずノズルヘッド３０が押下されて内容液が吐出されることを抑制することができる。
【００５７】
なお、支持筒部１１９の内周面に凹部１１９ａを設ける代わりにリブを形成し、首筒部１４０のリブ１４２が支持筒部１１９側のリブに係合して回り止めを構成するようにしてもよい。
【００５８】
以上述べたように、本実施形態では、回り止め部１３４は、首筒部１４０の外周面に形成され上下方向に延びるリブ１４２と、支持筒部１１９の内周面に形成され上下方向に延びる凹部１１９ｂとを有するように構成した。これによって、首筒部１４０の軸線周りの回転が常に規制されるので、ノズル部５０の着脱を容易に行うことができる。
【００５９】
また、本実施形態では、リブ１４２が、凹部１１９ｂの周方向中央に形成された乗り越え部１１９ｃを乗り越えることで、内容液の使用可能状態とノズル部５０の着脱可能状態との間で状態を切り替えることが可能であるように構成した。これによって、内容液の使用可能状態とノズル部５０の着脱可能状態とが意図せずに切り替わってしまうことがないので、ノズル部５０の着脱を更に容易に行うことができる。
【００６０】
また、本実施形態では、ノズル部５０の着脱可能状態において、首筒部１４０の下方への変位を規制するストッパ１１９ａを形成した。これによって、ノズル部５０の着脱時に意図せず首筒部１４０が下方に押下されて内容液が吐出されてしまうのを抑制することができる。
【００６１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００６２】
例えば、本実施形態では、フォーマーディスペンサー１として説明してきたが、本発明はこれに限定されるものではなく、空気を混ぜずに内容液のみを吐出する容器用吐出具も本発明の範囲に含まれる。また、回り止め部３４についても第１及び第２実施形態の態様には限定されず、他の回り止め機構を採用してもよい。
【符号の説明】
【００６３】
１，１０１      フォーマーディスペンサー（容器用吐出具）
１０，１１０    ベースキャップ
１０ａ  外壁
１７，１１７    天壁
１７ｆ，１１７ｆ  貫通孔
１９，１１９    支持筒部
１９ａ  係合板
１９ｂ  切り欠き部
２０    ポンプ
２２    内容液用ポンプ
２３    空気用ポンプ
２４    シリンダー
２４ａ  小径筒体
２４ｂ  大径筒体
２４ｃ  吸引口
２４ｄ  嵌合筒
２４ｅ  横孔
２５  中空ピストン
２５ａ  段部
２６  ポペット
２６ａ  弁部
２６ｂ  弁部
２７  中空ステム
２７ａ  下部筒状壁
２７ｂ  中間フランジ
２７ｃ  上部筒状壁
２７ｇ  内向きフランジ
２８  スプリング
２９  エアーピストン
２９ａ  筒状ガイド
２９ｃ  隔壁
２９ｄ  開孔
３０，１３０    ノズルヘッド
３２，１３２    ねじ係合部
３４，１３４    回り止め部
４０，１４０    首筒部
４１，１４１    雌ねじ部
４２    係合凹部
５０    ノズル部
５１，２５１，３５１，４５１，５５１    装着筒部
５１ａ，  ２５１ａ，３５１ａ，４５１ａ，５５１ａ    雄ねじ部
５５    ジェットリング
５５ａ  上部筒部
５５ｃ  中間筒部
５６，１５６，２５６，３５６，４５６，５５６    ヘッド部
５６ａ，１５６ａ，２５６ａ，３５６ａ，４５６ａ，５５６ａ    押下面
５７，１５７，２５７，３５７，４５７，５５７    吐出口
５８，２５８，３５８，４５８    上壁
５９    メッシュリング
１１９ａ  ストッパ
１１９ｂ  凹部
１１９ｃ  乗り越え部
１４２    リブ
１５６ｂ  空洞部
２５８ａ    彫刻
５５８    カバー部材
Ａ１  第一通気路（通気路）
Ａ２  第二通気路
Ｂ    ボール弁
Ｃ    容器
Ｃ１  口部
Ｇ    合流空間
Ｍ    吐出流路
Ｎ    内部通路
Ｏ１  軸線
Ｓ    収容空間
Ｔ    外気導入用通気路
ｐ  吸引パイプ
ｔ１  内部通路
ｔ２  内側通路
【図１】
2019119480.tif 000003
【図２】
2019119480.tif 000004
【図３】
2019119480.tif 000005
【図４】
2019119480.tif 000006
【図５】
2019119480.tif 000007
【図６】
2019119480.tif 000008
【図７】
2019119480.tif 000009
【図８】
2019119480.tif 000010
【図９】
2019119480.tif 000011